(57)【要約】      （修正有）【課題】内容物を容易に使い切ることができるチューブ容器を提供する。【解決手段】チューブ容器は、本体１２と、本体の上端に設けられ、キャップ１６によって開閉可能な口部１４と、本体の底部に設けられた開閉可能な開口１８ａとを備え、内容物が少量なときに、容器を上下逆さにして、底部の開口を開放することにより、容器内に空気を流入させ、内容物を流出させるように構成されている。【選択図】図３
0003226111.tif 000002
【実用新案登録請求の範囲】
【請求項１】
内容物の使い切りが可能なチューブ容器であって、
本体と、
前記本体の上端に設けられ、キャップによって開閉可能な口部と、
前記本体の底部に設けられた開閉可能な開口部とを備え、
前記内容物が少量なときに、容器を上下逆さにして、前記開閉可能な開口部を開放することにより、容器内に空気を流入させ、前記内容物を流出させるように構成されていることを特徴とするチューブ容器。
【請求項２】
前記開閉可能な開口部が、前記チューブ容器の底面に設けられた開口に、ねじ付きキャップをねじ込んだり外したりして開閉するように構成されていることを特徴とする請求項１に記載された使い切り可能なチューブ容器。
【考案の詳細な説明】
【技術分野】
【０００１】
本考案は一般に、マヨネーズやケチャップ等を収容するチューブ容器に関する。より詳細には、本考案は、マヨネーズやケチャップ等の内容物を容易に使い切ることができるチューブ容器に関する。
【背景技術】
【０００２】
マヨネーズやケチャップ等は通常、プラスチック製のチューブ容器に収容されて販売されている。そして、内容物（マヨネーズ、ケチャップ等）を使用する際には、チューブ容器のキャップを外し、チューブ容器を指で押すことによって、内容物（マヨネーズ、ケチャップ等）を絞り出して用いている。
【考案の概要】
【考案が解決しようとする課題】
【０００３】
しかしながら、従来のチューブ容器では、内容物が少量になると、搾り出しにくくなるという課題があり、内容物が少量になっても搾り出し易い容器が望まれている。
【０００４】
本考案は、このような状況に鑑みて開発されたものであって、内容物を容易に使い切ることができるチューブ容器を提供するものである。
【課題を解決するための手段】
【０００５】
本願請求項１に記載の使い切り可能なチューブ容器は、本体と、前記本体の上端に設けられ、キャップによって開閉可能な口部と、前記本体の底部に設けられた開閉可能な開口部とを備え、前記内容物が少量なときに、容器を上下逆さにして、前記開閉可能な開口部を開放することにより、容器内に空気を流入させ、前記内容物を流出させるように構成されていることを特徴とするものである。
【０００６】
本願請求項２に記載の使い切り可能なチューブ容器は、前記請求項１のチューブ容器において、前記開閉可能な開口部が、前記チューブ容器の底面に設けられた開口に、ねじ付きキャップをねじ込んだり外したりして開閉するように構成されていることを特徴とするものである。
【考案の効果】
【０００７】
本発明の使い切り可能なチューブ容器によれば、内容物が少量になったときであっても、底部に設けられた開口部から空気を入れることによって、内容物を円滑に流出させることができる。本考案のチューブ容器は、構造が簡単であるため、製造コストが廉価ですみ、故障などもないという利点を有する。
【図面の簡単な説明】
【０００８】
【図１】本考案の好ましい実施の形態に係る使い切り可能なチューブ容器の正面図である。
【図２】図２（ａ）は図１の線２ａ‐２ａに沿って見た図、図２（ｂ）は図１の線２ｂ‐２ｂに沿って見た図である。
【図３】キャップを取り外した状態を示した断面図である。
【図４】図１の使い切り可能なチューブ容器の使用手順の例を示した一連の図である。
【考案を実施するための形態】
【０００９】
次に図面を参照して、本考案の好ましい実施の形態に係る使い切り可能なチューブ容器について詳細に説明する。図１は、本考案の好ましい実施の形態に係る使い切り可能なチューブ容器を示した正面図、図２（ａ）は、図１の使い切り可能なチューブ容器の平面図、図２（ｂ）は、図１の使い切り可能なチューブ容器の底面図である。
【００１０】
図１において全体として参照符号１０で示される本考案の好ましい実施の形態に係る使い切り可能なチューブ容器は、上部が幅狭になった本体１２を備えている。
【００１１】
本体１２の上端は、開口した口部１４となっており、口部１４は、キャップ１６によって閉鎖されている。図示されているキャップ１６には、口部１４の外周に設けられたねじ１４ａに対応するねじ１６ａが設けられており、口部１４にキャップをねじ込んだり外したりして口部１４を開閉するようになっている。
【００１２】
チューブ容器１０は、ポリエチレンなどのプラスチック材料で形成されており、使用時に、キャップ１６を外し、本体１２を指で押して、内容物（マヨネーズ、ケチャップ等）を口部１４から搾り出すようになっている。
【００１３】
チューブ容器１０の本体１２の底部には、開閉可能な開口部１８が設けられている。すなわち、図３に示されるように、チューブ容器１０の底面に開口１８ａが設けられており、開口１８ａの外周に設けられたねじに、ねじ１８ｃの付いたキャップ１８ｂをねじ込んだり外したりして開口１８ａを開閉するようになっている。
【００１４】
なお、図３に示された開閉可能な開口部１８は、本体１２の底面を窪ませた凹部に設けられているものとして図示されているが、このような形態は一例にすぎず、開閉可能なものであれば、他の形態を採用してもよい。
【００１５】
以上のように構成された使い切り可能なチューブ容器１０の使用法について、図４を参照して説明する。チューブ容器１０内の内容物が少量になってくると（図４（ａ）参照）、内容物を絞り出しにくくなる。そこで、チューブ容器１０を上下逆さにし（図４（ｂ）参照）、開閉可能な開口部１８のキャップ１８ｂを外して、開口１８ａを開放するとともに、キャップ１６を外して、口部１４を開放する（図４（ｃ）参照）。すると、開口１８ａからチューブ容器１０内に空気が流入するので、内容物が流下し、口部１４から内容物が流出しやすくなる（図４（ｄ）参照）。このようにして、チューブ容器１０内の内容物が残り少ない場合でも、内容物を容易に使い切ることができる。
【００１６】
なお、図４（ｃ）では、キャップ１８ｂが完全に取り外されているが、キャップ１８ｂを緩めるだけでも、キャップ１８ｂの隙間から空気が流入するので、内容物の使い切りが可能である。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
たとえば、図示されている本体１２、キャップ１６、開閉可能な開口部１８の寸法や細部の形状などは、単なる例示的なものであり、本考案の所要の効果を発揮することができるものであれば、寸法や細部の形状を変更してもよい。また、図示されているキャップ１６や底キャップ１８ｂはねじ込み式のものであるが、ヒンジ式に開閉可能な、いわゆるダブルキャップを用いてもよい。
【００１９】
本考案のチューブ容器１０は、マヨネーズやケチャップなどの他、練りわさび、練りからし、ソース等の粘性のある流状物の収納に用いられる。
【符号の説明】
【００２０】
１０  チューブ容器
１２  本体
１４  口部
１４ａ  ねじ
１６  キャップ
１６ａ  ねじ
１８  開閉可能な開口部
１８ａ  開口
１８ｂ  底キャップ
１８ｃ  ねじ
【図１】
0003226111.tif 000003
【図２】
0003226111.tif 000004
【図３】
0003226111.tif 000005
【図４】
0003226111.tif 000006